(57)【要約】【課題】  夏季の日射負荷を従来の通気外壁に比べて更に低減し、かつ冬季の断熱を強化することのできる、建物の蓄熱型の通気外壁を提案する。【解決手段】  建物の外皮のうち鉛直な又は傾斜した外皮部分を、日射を遮る表壁部２ａと、建物の躯体側へ連続する裏壁部２ｂと、これら両壁部との間に存するとともに外界への開口部を上下両端に有する通気路２cとで形成し、かつこの外皮部分の一部に通気路２c内の空気との熱交換が可能に潜熱蓄熱材８を含有させてなる。【選択図】  図１
2007009574.tif 000002
【特許請求の範囲】
【請求項１】
建物の外皮のうち鉛直な又は傾斜した外皮部分を、日射を遮る表壁部２ａと、建物の躯体側へ連続する裏壁部２ｂと、これら両壁部との間に存するとともに外界への開口部を上下両端に有する通気路２cとで形成し、かつこの外皮部分の一部に通気路２c内の空気との熱交換が可能に潜熱蓄熱材８を含有させてなる、建物の蓄熱型通気外壁。
【請求項２】
上記潜熱蓄熱材８を、裏壁部２ｂ側に具備させたことを特徴とする、請求項１記載の建物の蓄熱型通気外壁。
【請求項３】
上記潜熱蓄熱材８を、表壁部２ａ及び裏壁部２ｂから離して通気路２c内に設置したことを特徴とする、請求項１記載の建物の蓄熱型通気外壁。
【請求項４】
上記表壁部２ａを、透明壁板28と、この透明壁板の表側又は裏側に設置した開閉切り替え可能なブラインド30とで形成したことを特徴とする、請求項２又は請求項３の何れかに記載の建物の蓄熱型通気外壁。
【請求項５】
上記潜熱蓄熱材８を、表壁部２ａ側に具備させたことを特徴とする、請求項１記載の建物の蓄熱型通気外壁。
【請求項６】
上記潜熱蓄熱材８は、蓄熱パネル８Ａとして上記表壁部２ａ又は裏壁部２ｂの通気路２c側の表面に取り付けてなることを特徴とする、請求項２又は請求項５記載の建物の蓄熱型通気外壁。
【請求項７】
上記潜熱蓄熱材８は、多数の蓄熱カプセル８Ｂ内に収納して、この蓄熱カプセルを上記表壁部２ａ又は裏壁部２ｂに混入したことを特徴とする、請求項２又は請求項５記載の建物の蓄熱型通気外壁。
【請求項８】
上記表壁部２ａの外面を覆う太陽電池26を表壁部２ａに設けたことを特徴とする、請求項１、請求項２、請求項３、請求項５又は請求項６の何れかに記載の建物の蓄熱型通気外壁。
【請求項９】
上記通気路２cの上下両端の開口部16,18のうちの少なくとも一方に風量調整用ダンパー20,22を設けたことを特徴とする、請求項１乃至請求項８の何れかに記載の建物の蓄熱型通気外壁。
【発明の詳細な説明】
【技術分野】
【０００１】
本発明は、建物の蓄熱型の通気外壁、特に夏季乃至冬季における建物の貫入熱量を制御するために潜熱蓄熱材料を用いた蓄熱型の通気外壁に関する。
【背景技術】
【０００２】
建物の外壁一部を、夏や冬の空調負荷を減らすために、空気層を中側に含む内外２重ガラス（ダブルスキン）とすること、及び表壁部を兼ねた外表面仕上げ材を躯体側の壁部分の外側に縦設し、これら両者の間に、外部への開口を上下両端に有する通気路を形成したもの（通気外壁）とすることが知られている（特許文献１、特許文献２）。
【０００３】
また冬の日射で暖められた空気を屋根側から取り入れ、ダクトを経て床下に設けた蓄熱部へ送り、蓄えた熱を夜間等に床側へ放出するものも知られている（特許文献３）。
【０００４】
更にまた通気外壁ではないが、建物の外壁に潜熱蓄熱材を入れたカプセルを埋め込むことで断熱性を高めることは従来から行われている（特許文献４、特許文献５）。
【特許文献１】特開2002−256637号
【特許文献２】特開2003−328460号
【特許文献３】特開平09− 264612号
【特許文献４】特開平07− 166616号
【特許文献５】特開2002−114553号
【発明の開示】
【発明が解決しようとする課題】
【０００５】
特許文献１のダブルスキンでは、内部の空気層が外気と室内との中間層となって、伝導による熱の流入が緩和されるが、日射による熱の流入は遮断できない。
また、特許文献２の通気外壁では、夏季に外表面仕上げ材で受けた日射の熱の一部で通気路内の空気が膨張して上昇気流を生ずるため、外表面仕上げ材から熱を除去して空調負荷を軽減することができる。しかしながら、一般に通気路内の空気は外気温より高温であるので、ある程度の熱が躯体側に流入することは避けられない。更にまた、冬季においては、建物躯体側の壁部が直接外気に晒されるため、この躯体が冷却され、空調負荷が増加することとなる。
【０００６】
また、特許文献３のものは、建物の外から暖気を建物内へ取り込み、その熱を床下の蓄熱材に蓄えるように構成したものであり、蓄熱材を建物の外壁部分での熱取得を小さくすることはできなかった。
【０００７】
更にまた、特許文献４及び特許文献５のものは、潜熱蓄熱材が外部からの貫流熱を相転移のための潜熱として吸収・消費している間は断熱効果が得られるが、潜熱蓄熱材の相転移が完了してしまうと、断熱効果が得られない。
【０００８】
そこで本発明は、建物の外壁を、日射を遮る表壁部と建物の躯体側へ連続する裏壁部とこれら両壁部の間に存する外界への開口部を上下両端に有する通気路とで構成し、かつその外壁の一部に潜熱蓄熱材を含有させることで、夏季の日射負荷を更に低減し、かつ冬季の断熱を強化することのできる建物の通気外壁を提案することを目的とする。
【課題を解決するための手段】
【０００９】
第1の手段は、建物の外皮のうち鉛直な又は傾斜した外皮部分を、日射を遮る表壁部２ａと、建物の躯体側へ連続する裏壁部２ｂと、これら両壁部との間に存するとともに外界への開口部を上下両端に有する通気路２cとで形成し、かつこの外皮部分の一部に通気路２c内の空気との熱交換が可能に潜熱蓄熱材８を含有させている。
【００１０】
本手段は、潜熱蓄熱材と通気路との組合せによりバランス良く蓄熱・放熱を行うものである。上述の如く外壁に埋め込んだ潜熱蓄熱材は、相転移が完了して熱的に飽和してしまうと、断熱材としての機能を果たすことができない。例えば夏季の日照時間中は、潜熱蓄熱材の吸熱能力を超えて過剰な熱が貫流するため、午前中の早い時間帯で潜熱蓄熱材が熱的飽和状態となり、その後は断熱効果が得られないという可能性が大きい。しかしながら、潜熱蓄熱材を具備する通気外壁の場合には、通気路が外気と連通しているため、例えば夕立の後の如く一時的に外気温が下がると、通気路内に涼風が入って潜熱蓄熱材から通気路を介して外部へ熱を排出することができるので、新たな吸熱余地を生ずる。
尚、こうした効果は、潜熱蓄熱材以外の通常の蓄熱材と通気路との組合せでも得られるが、通常の蓄熱材では、熱の放出により涼風と接している界面部分で温度の低下を生じ、涼風との温度差が小さくなるので、熱の放出が遅くなる。これに対して、潜熱蓄熱材を利用した場合には、相転移が完了するまでは温度低下を生じないため、熱の放出を迅速に行うことができ、少ない放熱の機会を確実に活かすことができる。
【００１１】
又、冬季にも、例えば夕方の気温の下降に対抗して、潜熱蓄熱材が通気路に熱を放出するため、空調負荷を軽減できる。
【００１２】
ここで「外壁」とは、この明細書において、建物の外皮のうち鉛直方向の高さを有する部分をいい、建物の側外壁のほか、傾斜屋根などを含むものとする。
【００１３】
「潜熱蓄熱材」は、室内側の空調設定温度（一般には22〜26℃程度）と近い融点を有する材料を選択することが望ましい。又、潜熱蓄熱材料は耐候性に優れた素材であることが望ましい。具体的な材料としては、ノルマルヘプタデカン（C17H36）、ノルマルオクタデカン（C18H38）などがある。
【００１４】
「表壁部」は、上記裏壁部の外面を覆って日射を遮るとともにこの表面との間に通気路を形成する仕切りとしての機能を有し、好ましくは裏壁部の表面と平行に設置されている。尚、表壁部は、建物の一側面（例えば南面のみ）に設けてもよく、また建物全周を囲うように形成しても良い。
【００１５】
「通気路」は、表裏両壁部の間に形成され、下端部には外気導入口を、また上端部には排熱口をそれぞれ開口する空気の流路であり、表壁部裏面からの伝導熱で煙突効果による上昇気流を発生させるように構成されている。上昇気流を効果的に起こさせるためには、上下両開口部を除いて通気路が外界から少なくともルーズに仕切られていることが望ましい。このためには、例えば通気路の水平方向両端部に必要により仕切り板を付設すれば良い。又、上昇気流の妨げとならないように、通気路は建物の側外壁乃至傾斜屋根に沿ったフラットな形状とすると良い。
【００１６】
「外皮部分の一部」とは、後述の如く表壁部と通気路内部と裏壁部とのうちの少なくとも一つをいう。これらの２つ以上に潜熱蓄熱材を設けても良い。この場合には、例えば表壁部には後述の第５の手段で述べる如く冬季蓄熱用に融点温度を低目に設定した潜熱蓄熱材を、また通気路内部乃至裏壁部には第２の手段で述べる如く夏季断熱用に融点温度を高めに設定した潜熱蓄熱材をそれぞれ含有させることができる。
【００１７】
「裏壁部」は、建物外皮の内側部分であって、建物の躯体側に連続している。本明細書において「躯体側に連続」とは、熱的に連続していること（換言すれば裏壁部を経由して建物内部との間に熱量の移動があること）というものとする。従って、躯体の一部をなしている裏壁部の他、例えば躯体本体の外面と平行にこの外面と縁切りした縦板状の裏壁部であって、両者を連結する連結棒や両者間の空気を介して熱の出入りがあるような構造も含まれる。
【００１８】
第２の手段は、第1の手段を有し、かつ上記潜熱蓄熱材８を、裏壁部２ｂ側に具備させている。
【００１９】
本手段では、潜熱蓄熱材を裏壁部に具備させたので、特に夏季の日射から表壁部が受けた熱の多くを通気路を介して効率的に排気することができる。表壁部が放出する熱のうち輻射熱を除く部分は、通気路内の空気を経由して潜熱蓄熱材へ伝導するが、通気路内の空気に伝わった熱のうち相当の部分は通気路内の温度上昇に消費され、これに伴って通気路内で上昇気流が起こる煙突効果を生じ、通気路内から熱を奪って放出する。従って潜熱蓄熱材が熱的に飽和する時点を遅らせ、断熱状態をより持続させることができる。主としてこうした夏季の断熱目的で本手段を用いる場合には、一般的な夏季の室温の設定温度は、26℃前後（特に25〜28℃）であるので、潜熱蓄熱材の融点温度は23〜30℃程度とすると良い。もっとも本手段は、後述の如く季節により通気路両側の開口部を閉塞するようにすれば、通気路を熱溜めとして利用することができるので、冬季蓄熱のための手段としても有用である。また潜熱蓄熱材は裏壁部の全表面に対応して設けることが望ましい。
【００２０】
また、上述の煙突効果を向上させるためには、表壁部から放出される伝導熱及び輻射熱のうち後者の割合を低く抑えることが望ましい。そのためには、上記表壁部の裏面を、放射率０．３程度以下の低放射の面、例えば輝面とすると良い。この構成は、裏壁部を鋼鈑で形成することにより、更に好ましくは鋼鈑の裏面に錆止め又はメッキ処理を施すことにより実現することができる。更にまた、鋼鈑に代えてＡＬＣや繊維強化コンクリートを使用することもできる。
【００２１】
尚、本手段及び後述の第５の手段において、「具備する」という用語は、表壁部乃至裏壁部の通気路側の面に潜熱蓄熱層（蓄熱パネルを含む）を形成すること、及び、潜熱蓄熱材入りのカプセルを各壁体に混入することの何れも含むものとする。
【００２２】
又、本手段において、表裏両壁部間の距離が大き過ぎると、通気路内の空気が温まるのに時間がかかる。そうなると、上昇気流が発生するまでに表壁部から裏壁部へ輻射として逃散する熱量が大きくなるため、通気路は、少なくとも上下長さに対して表裏両壁部の距離の短い層状流路とすると良く、又、両壁部間の距離は、20cm程度とすると良い。尚、通気路の上端部には、通気路内への雨水の浸入を阻止する防水手段を設けると良い。
【００２３】
第３の手段は、第1の手段を有し、かつ上記潜熱蓄熱材８を、表壁部２ａ及び裏壁部２ｂから離して通気路２c内に設置している。
【００２４】
本手段では、潜熱蓄熱材を表壁部から離して設置したので、第２の手段と同様に煙突効果を高めることができ、又、その潜熱蓄熱材を通気路内に設置したので、潜熱蓄熱材の回りの空気流を乱流化させ、潜熱蓄熱材からの除熱効果を向上させることができる。
【００２５】
通気路内に潜熱蓄熱材を設置する態様としては、後述の発明の実施形態の欄で示す如く潜熱蓄熱材を収納した複数の容器を例えば通気路内に横設したメッシュ状の載置台の上に散点状に設置しても良く、また、潜熱蓄熱材を縦長のパイプ状容器に収納させたものを、通気路の内壁に沿って線状に縦設させても良い。更に潜熱蓄熱パネルを通気路の流れ方向に対して平行又は垂直に設置しても良い。
【００２６】
第４の手段は、第２の手段又は第３の手段を有し、かつ上記表壁部２ａを、透明壁板28と、この透明壁板の表側又は裏側に設置した開閉切り替え可能なブラインド30とで形成している。
【００２７】
第５の手段は、第1の手段を有し、かつ上記潜熱蓄熱材８を、表壁部２ａ側に具備させている。
【００２８】
本手段では、潜熱蓄熱材を表壁部側に具備させたので、表壁部が受けた日射のエネルギーの多くを、通気路側へ伝導する前に潜熱蓄熱材に蓄熱することができる。この特徴は、特に冬季の日射を熱源として利用する場合に適している。本手段を冬季蓄熱の手段として利用するときには、潜熱蓄熱材の融点温度を夏季断熱のための仕様に比べて低めに設定することが望ましく、そうすることで通気路への放熱を抑制し、効率の良い蓄熱が可能となる。具体的には、一般に冬季での室温の設定温度が22℃程度であるので、融点の設定温度を10〜20℃程度とすることが望ましい。もっとも本手段を夏季の外部からの貫流熱の断熱のために用いることもできる。
【００２９】
第６の手段は、第２の手段又は第５の手段を有し、かつ上記潜熱蓄熱材８は、蓄熱パネル８Ａとして上記表壁部２ａ又は裏壁部２ｂの通気路２c側の表面に取り付けている。 
【００３０】
蓄熱パネルはタイル状に貼着させることができる。
【００３１】
第７の手段は、第２の手段又は第５の手段を有し、かつ上記潜熱蓄熱材８は、多数の蓄熱カプセル８Ｂ内に収納して、この蓄熱カプセルを上記表壁部２ａ又は裏壁部２ｂに混入している。
【００３２】
「蓄熱カプセル」としては、平均粒子径０．５μｍ〜５０μｍ程度の大きさのマイクロカプセルであって、セメント系建材に混入させるために開発されたものが従来公知である（特許文献５）。
【００３３】
第８の手段は、第1の手段、第２の手段、第３の手段、第５の手段、又は第６の手段を有し、かつ上記表壁部２ａの外側に、この表壁部の外面を覆う太陽電池パネル26Ａを設けている。
【００３４】
本手段では、本来建物内部への貫流熱として空調負荷となる筈の日射エネルギーを、逆に空調エネルギー等として有効利用する目的で、表壁部の外面を太陽電池パネルで覆うように設けたものである。本手段のための太陽電池パネルは、耐候性に優れ、安価なものが好ましい。例えばアモルファスシリコン太陽電池を用いることができる。
【００３５】
第９の手段は、第1の手段乃至第５の手段の何れかを有し、かつ上記通気路２cの上下両端の開口部16,18のうちの少なくとも一方に風量調整用ダンパー20,22を設けている。
【００３６】
本手段では、季節や時間帯により、或いは通気路内外の温度により開度を調整できる風量調整用ダンパーを設ける。通気路の風量を調節することには、通気路を開閉することを含むものとする。例えば寒期に風量調整用ダンパーを閉鎖することで通気路を外界から遮断し、建物の躯体が直接冷気に晒されないようにすることができる。
【００３７】
風量調整用ダンパーの開度は、制御装置により自動制御することが望ましいが、人手で調整できるようにしても良い。温度で制御する場合には、形状記憶合金などを利用して温度を感知したダンパーが自律的に開閉するようにすることもできる。
【発明の効果】
【００３８】
第１の手段に係る発明によれば、次の効果を奏する。
○建物の外皮のうち鉛直乃至傾斜部分で形成する通気外壁に蓄熱材を含ませたから、その蓄熱材の蓄熱量に対応して建物内への流入熱量を減少させることができ、従って夏季には日中の空調負荷を、また、冬季には夜間の空調負荷を軽減することができる。
○蓄熱材は、通気路２cを介して外部へ放熱できるようにしたから、蓄熱及び放熱を効率良く行うことができる。
○更に潜熱蓄熱材を用いたから、夏季夜間に冷熱を、或いは冬季日中に温熱をそれぞれ蓄熱する際に外気温の昇降に対して潜熱蓄熱材の表面温度がほぼ一定に保たれるので外気と潜熱蓄熱材の表面との温度差が大きくなり、蓄熱量を大とすることができる。
【００３９】
第２の手段及び第３の手段に係る発明によれば、潜熱蓄熱材８を、表壁部２ａから離して通気路２c内又は裏壁部２ｂ側に設置したから、表壁部から潜熱蓄熱材を経由せずに通気路内空気へ熱が伝導することとなるので、煙突効果を効率良く起こすことができる。
【００４０】
第３の手段に係る発明によれば、潜熱蓄熱材８を通気路２c内に具備させたから、潜熱蓄熱材から通気路２c内へ効率良く放熱することができる。
【００４１】
第４の手段に係る発明によれば、夏季はブラインド30を閉じて日射を遮り、冬季にブラインド30を開いて日射を取り入れることでより空調効率を高めることができる。
【００４２】
第５の手段に係る発明によれば、表壁部２ａ側に潜熱蓄熱材８を具備させたから、冬季において表壁部が受けた日射のエネルギーの多くを、通気路側へ伝導する前に潜熱蓄熱材に蓄熱することができる。
【００４３】
第６の手段に係る発明によれば、潜熱蓄熱材８は、蓄熱パネル８Ａとして上記表壁部２ａ又は裏壁部２ｂの通気路２c側の表面に取り付けているから、十分な断熱作用が得られ、高い省エネルギー効果が得られる。
【００４４】
第７の手段に係る発明によれば、上記潜熱蓄熱材８は、多数の蓄熱カプセル８Ｂ内に収納して、この蓄熱カプセルを上記表壁部２ａ又は裏壁部２ｂに混入してから、建物の壁板の外面に潜熱蓄熱材を貼り付けた場合のようにその潜熱蓄熱材が脱落するおそれがなく、また施工も容易である。
【００４５】
第８の手段に係る発明によれば、表壁部２ａの外側に太陽電池を設置したから、本来建物の外壁を貫通して空調負荷となる筈の太陽光線の熱量の一部を電気エネルギーに変換して、空調エネルギーなどに有効利用できるので、更に省エネルギー性が高まる。
【００４６】
第９の手段に係る発明によれば、通気路２cの上下両端の開口部16,18のうちの少なくとも一方に風量調整用ダンパー20,22を設けており、例えば寒冷期には通気路の開口部を閉じて中間空気層として利用することができるから、空調負荷を更に軽減することができる。
【発明を実施するための最良の形態】
【００４７】
図１乃至図３は、本発明に係る通気外壁の第１実施形態を示しており、建物の側外壁を通気外壁２とした例を示している。
【００４８】
通気外壁２は、表壁部２aと裏壁部２ｂと通気路２cとで形成されている。
【００４９】
裏壁部２ｂは、建物の躯体に連続する壁板６と、壁板６の外面に取り付けられた、潜熱蓄熱材８で形成する蓄熱パネル８Ａと、壁板６の内側に取り付けた断熱材10とで形成している。上記蓄熱パネル８Ａは、壁板６の全体を覆っており、また建物の周囲を囲成するように形成している。
【００５０】
表壁部２ａは、図２に示すように、上記裏壁部２ｂの外面全体を覆うように設置された外装パネルであり、上記裏壁部２ｂから突出された支持部12により支持されている。
【００５１】
通気路２cは上記裏壁部２ｂと表壁部２ａとの間に形成されている。この通気路２cの上下両端部には、外界に対して開放された開口部16,18が形成されている。これら開口部にはそれぞれ風量調整用ダンパー20,22が付設されており、各風量調整用ダンパーは、図示しない制御装置及び温度センサーにより通気路内の温度が基準値以下となったときに開口部を閉鎖するように構成している。
【００５２】
図３は、上記通気外壁の夏季の１日の作用を示している。同図(Ａ)の如く、朝方は表壁部２a及び裏壁部２ｂともに温度が低く、通気路２c内には未だ上昇気流が生じていない。
【００５３】
同図(Ｂ)の如く表壁部２aが日射を受けると、表壁部２aの温度が上昇する。この表壁部２aの裏面から通気路２c内の空気へ伝導した熱の一部は通気路２c内の気温の上昇に用いられ、残りの熱は裏壁部２ｂの蓄熱パネル８Ａに流入する。また表壁部２aから放出された輻射熱も蓄熱パネル８aに吸収される。もっとも、初期の状態では蓄熱パネル８Ａに入った熱は相転移に使用され、蓄熱パネル８Ａの温度は上昇しない。
【００５４】
更に同図(Ｃ)の如く通気路２c内の空気が外気よりも温まると、上昇気流が生じる。この上昇気流は、表壁部２aから熱を奪って表壁部の温度が下降するので、裏壁部２ｂへの輻射熱も減少する。また、通気路２c内に外気が入ることで通気路内の気温も下がる。これにより表壁部２a及び通気路２c内の空気から裏壁部２ｂへの熱の流入が緩和されるので、裏壁部２ｂの蓄熱パネル８Ａが熱的に飽和することを遅らせ、この熱的飽和状態に至るまでの間は断熱状態を維持する。
【００５５】
更に同図(Ｄ)の如く夜間になって外気温が低下すると、蓄熱パネル８Ａから通気路内への熱の伝導を生じ、蓄熱パネル８Ａが冷熱を蓄える。こうした冷蓄熱効果は蓄熱パネルを設置していない建物の躯体でもある程度は起こるが、この場合には冷熱の蓄積により熱躯体の表面温度が下降して外気温に近づいていくため、熱の移動が緩やかとなり、蓄熱量は小さくなる。これに対して本発明の蓄熱パネルは、潜熱蓄熱材を使用しているため、冷熱が流入しても相転移が完了するまで表面温度が下がらず、冷熱を潜熱としての蓄熱量の限界まで迅速かつ容易に蓄えることができる。
【００５６】
冬季において、通気路２c内に外気が入るが、潜熱蓄熱材８を設けることで建物躯体及び室内への影響は緩和されている。特に寒気が強いときには、風量調整用ダンパー20,22を閉塞することもできる。冬季の日中に日射による熱量を蓄えるときには、夏季の夜間の場合と同様に、通気路２c内の空気の温度が上昇しても、潜熱蓄熱材の表面温度が上昇しないために、蓄熱量を大とすることができる。
【００５７】
以下本発明の他の実施形態を説明する。これらの実施形態において、第1実施形態と同じ構成については同一符号を付することで説明を省略する。
【００５８】
図４は、本発明の通気外壁の第２実施形態を示しており、第1実施例の如く裏壁部２ｂの外面に蓄熱パネル８Ａを貼り付ける代りに裏壁部２ｂに潜熱蓄熱材８入りの蓄熱カプセル８Ｂを混入させて、容易に施工できるようにしたものである。尚、図面では、説明の都合上から蓄熱カプセル８Ｂを大きく描いているが、実際にはこれら蓄熱カプセルは数μｍ程度の微細なものである。
【００５９】
図５は、本発明の通気外壁の第３実施形態を示しており、この例では、表壁部２aの外面全体は太陽電池パネル26Ａで覆うことで断熱性を高めている。この太陽電池パネルから得た電気エネルギーは、風量調整用ダンパー20,22の制御装置や建物内の空調設備、照明設備、蓄電設備などへ供給するように配線する。
【００６０】
図６は、本発明の通気外壁の第４実施形態を示しており、表壁部２aをガラスで形成する透明壁板28と、この透明壁板の内側に設置したブラインド30とで形成している。このブラインドはベネチアンブラインドのように日射を通過し、或いは遮断可能に形成しており、図示しない操作装置により開閉可能に設けている。
【００６１】
この構成とすることで、夏季はブラインド30を閉じて図１の通気外壁と同様に使用し、冬季には、ブラインド30を開けて通気路２cに日射を取り込むことができる。
【００６２】
図７は、本発明の通気外壁の第５実施形態を示している。本実施形態は、第１実施形態に示す側外壁としての通気外壁の構造を、傾斜した屋根に適用したものである。
【００６３】
表壁部２a及び裏壁部２ｂは平行斜板として固定されており、その間に通気路２cを形成している。この通気路２cの上端部側には防水手段32としての雨仕舞を設けている。
【００６４】
図８乃至図10は、本発明の通気外壁の第６実施形態を示している。本実施形態は、潜熱蓄熱材８を通気路２c内に表壁部２ａ及び裏壁部２ｂから離して具備させたものである。図８の例では、表壁部２ａ及び裏壁部２ｂに対して、これら両壁部と平行に潜熱蓄熱パネル８Ａを複数の連結片12で設置している。各連結片は、表壁部２ａ及び潜熱蓄熱パネル８Ａを貫通する１本の連結棒として、その棒の先端部をアンカーボルトとして裏壁部２ｂ内へ打ち込むことで形成することができる。
【００６５】
図９及び図10は、図８の変形例である。図９では、通気路２c内に横設した通気性のメッシュ状載置台36の上に、潜熱蓄熱材を収納した缶形の蓄熱材容器８ｃを載置したものである。また図10では、裏壁部２ｂの表面の近くに、縦長パイプ状の複数の蓄熱材容器８ｃを図示しない支持具により固定している。これらの構成によれば、少なくとも各容器の底面に気流が衝突して撹乱されるため、それら底面から乱流が発生し、気流と蓄熱材容器との熱交換が円滑に行われる。
【００６６】
図11は、本発明の通気外壁の第７実施形態を示している。この実施形態は、表壁部２ａの通気路側の面に蓄熱パネル８Ａを貼着したものである。尚、図示例と異なり、表壁部２ａに蓄熱カプセルを混入させても良い。冬季の蓄熱効果を高く設計する場合には、それら蓄熱材料の融点を、建物の建設場所の冬季日中の外気温と接近させて、10〜20℃程度に設定することが望ましい。設定した融点温度が外気温よりも高いと、表壁部２ａから日射のエネルギーは潜熱蓄熱材８を経て通気路２ｃ内へ容易に放出されてしまい易いが、融点温度と外気温とが接近していると、日射エネルギーを潜熱として蓄熱材内に確実に蓄積することができる。
【実施例】
【００６７】
［実施例１］
本実施例では、図12に示す如く建物外壁２に窓Ｗを設け、この窓を除く外壁部分を表裏２重構造の通気外壁２としている。図示例では、水平方向に延びる一連窓の上下両側部分を通気外壁としているが、例えば矩形状の独立した窓（ポツ窓）の周囲全体を通気外壁２としても良い。
【００６８】
［実施例２］
本実施例では、図13に示す如く、通気外壁２の表壁部２ａを上下方向に複数の部分に分割し、各部分間に補助開口部34を開口したものである。図面では省略されているが、各補助開口部に通風量調整用のダンパーを設置しても良い。
【図面の簡単な説明】
【００６９】
【図１】本発明の第1の実施形態に係る通気外壁を適用した建物の縦断面図である。
【図２】図１の通気外壁を採用した建物の横断面図である。
【図３】図１の通気外壁の作用説明図である。
【図４】本発明の第２の実施形態に係る通気外壁を適用した建物の縦断面図である。
【図５】本発明の第３の実施形態に係る通気外壁を適用した建物の縦断面図である。
【図６】本発明の第４の実施形態に係る通気外壁を適用した建物の縦断面図である。
【図７】本発明の第５の実施形態に係る通気外壁を適用した建物の縦断面図である。
【図８】本発明の第６の実施形態に係る通気外壁を適用した建物の縦断面図である。
【図９】図８の実施形態の変形例を示す斜視図である。
【図１０】図８の実施形態の変形例を示す斜視図である。
【図１１】本発明の第７の実施形態に係る通気外壁を適用した建物の縦断面図である。
【図１２】図１の通気外壁の一の実施例を示す図である。
【図１３】図１の通気外壁の他の一の実施例を示す図である。
【符号の説明】
【００７０】
２…通気外壁  ２ａ…表壁部  ２ｂ…裏壁部  ２c…通気路  ６…壁板
８…潜熱蓄熱材  ８Ａ…蓄熱パネル  ８Ｂ…蓄熱カプセル  ８Ｃ…蓄熱材容器
10…断熱材  12…支持部    16…上方開口部    18…下方開口部
20,22…風量調整用ダンパー  26…太陽電池  26Ａ…太陽電池パネル
28…透明壁板    30…ブラインド  32…防水手段  
34…補助開口部  36…載置台
Ｆ…床  Ｃ…天井  Ｒ…屋根
【図１】
2007009574.tif 000003
【図２】
2007009574.tif 000004
【図３】
2007009574.tif 000005
【図４】
2007009574.tif 000006
【図５】
2007009574.tif 000007
【図６】
2007009574.tif 000008
【図７】
2007009574.tif 000009
【図８】
2007009574.tif 000010
【図９】
2007009574.tif 000011
【図１０】
2007009574.tif 000012
【図１１】
2007009574.tif 000013
【図１２】
2007009574.tif 000014
【図１３】
2007009574.tif 000015